(57)【特許請求の範囲】
【請求項１】
レンズ鏡筒の周囲に形成される第１のバヨネット係合部と、
前記第１のバヨネット係合部と係合可能な第２のバヨネット係合部が形成される第１のリング部材と、
前記第１のリング部材に対して回転操作可能な操作リング部材と、
前記操作リング部材が回転操作されるときに、前記操作リング部材と一体となって回転する第２のリング部材と、
前記第２のリング部材の回転を検出する検出手段と、
前記第１のバヨネット係合部と前記第２のバヨネット係合部とが互いに係合するときに、前記第１のリング部材と係合して、前記第１のリング部材が前記第１のバヨネット係合部に対して回転することを規制する第１のロック部材と、
前記第１のロック部材と前記第１のリング部材との係合が解除されるときに、前記第２のリング部材と係合して、前記操作リング部材および前記第２のリング部材が前記第１のリング部材に対して回転することを規制する第２のロック部材と、を備えることを特徴とする撮像装置。
【請求項２】
前記第２のリング部材には第１の開口部が周方向に一定の間隔で複数形成され、
前記第２のロック部材は、前記第２のロック部材が前記第１の開口部の少なくとも１つに嵌合することで、前記操作リング部材および前記第２のリング部材が前記第１のリング部材に対して回転することを規制することを特徴とする請求項１記載の撮像装置。
【請求項３】
前記検出手段は、前記第２のリング部材に対して光線を出射すると共に、前記第２のリング部材で反射される反射光と前記第１の開口部を通過することによって前記第１のリング部材で反射される反射光とをそれぞれ検出する第１のフォトリフレクタおよび第２のフォトリフレクタを備え、
前記第１のリング部材と前記第２のリング部材のそれぞれにおいて前記第１のフォトリフレクタと第２のフォトリフレクタから出射された光線が照射される面では、前記光線に対する反射率が異なり、
前記操作リング部材を回転させたときに、前記第２のリング部材からの反射光と前記第１のリング部材からの反射光を交互に検出する周期が、前記第１のフォトリフレクタと前記第２のフォトリフレクタとでは１／４周期ずれており、
前記第１のフォトリフレクタと前記第２のフォトリフレクタのそれぞれで前記第２のリング部材からの反射光の検出と前記第１のリング部材からの反射光の検出とが切り替わるタイミングのずれに基づいて、前記操作リング部材の回転方向が検出されることを特徴とする請求項２記載の撮像装置。
【請求項４】
前記第１のフォトリフレクタと前記第２のフォトリフレクタのそれぞれでの、前記第２のリング部材からの反射光の検出と前記第１のリング部材からの反射光の検出とが切り替わる回数に基づいて、前記操作リング部材の回転量が検出されることを特徴とする請求項３記載の撮像装置。
【請求項５】
前記第２のリング部材には、前記第１の開口部より小さい幅を有する第２の開口部が周方向に一定の間隔で複数形成され、
前記撮像装置は、さらに、
一部が前記第２のリング部材に形成された前記第２の開口部の１つに入り込むように配置される鋼球と、
前記鋼球を前記第２のリング部材に対して付勢するクリックバネと、を備え、
前記第２のリング部材が前記第１のリング部材に対して回転するときに、前記鋼球が前記第２のリング部材の前記第２の開口部の１つに係合した状態と前記第２のリング部材の表面を滑る状態とが切り替わることでクリック感を発生させることを特徴とする請求項２乃至４のいずれか１項に記載の撮像装置。
【請求項６】
前記第１のリング部材は、光学アクセサリの取り付けが可能なアダプタ部を有することを特徴とする請求項１乃至５のいずれか１項に記載の撮像装置。
【請求項７】
前記光学アクセサリは、ワイドコンバータレンズ、テレコンバータレンズ、フィルタのいずれかであることを特徴とする請求項６記載の撮像装置。
【請求項８】
第１のバヨネット係合部がレンズ鏡筒の周囲に形成された撮像装置に装着可能なアクセサリであって、
前記第１のバヨネット係合部と係合可能な第２のバヨネット係合部が形成される第１のリング部材と、
前記第１のリング部材に対して回転する操作リング部材と、
前記操作リング部材が回転操作されるときに、前記操作リング部材と一体となって回転する第２のリング部材と、
前記アクセサリが前記撮像装置から取り外される動作が行われるときに、前記第２のリング部材と係合して、前記操作リング部材の前記第１のリング部材に対する回転を規制するロック部材と、を備えることを特徴とするアクセサリ。
【請求項９】
前記第２のリング部材には第１の開口部が周方向に一定の間隔で複数形成され、
前記ロック部材が前記第１の開口部の少なくとも１つに嵌合することで、前記ロック部材は、前記操作リング部材および前記第２のリング部材の前記第１のリング部材に対する回転を規制することを特徴とする請求項８記載のアクセサリ。
【請求項１０】
前記第２のリング部材には、前記第１の開口部より小さい幅を有する第２の開口部が周方向に一定の間隔で複数形成されることを特徴とする請求項９記載のアクセサリ。
【請求項１１】
前記第１のリング部材は、光学アクセサリの取り付けが可能なアダプタ部を有することを特徴とする請求項８乃至１０のいずれか１項に記載のアクセサリ。
【請求項１２】
前記光学アクセサリは、ワイドコンバータレンズ、テレコンバータレンズ、フィルタのいずれかであることを特徴とする請求項１１記載のアクセサリ。
【請求項１３】
レンズ鏡筒の周囲に形成される第１のバヨネット係合部と、
前記第１のバヨネット係合部と係合可能な第２のバヨネット係合部が形成される第１のリング部材と、
前記第１のリング部材に対して回転する操作リング部材と、
前記操作リング部材が回転操作されるときに、前記操作リング部材と一体となって回転する第２のリング部材と、
前記第２のリング部材の回転を検出する検出手段と、
前記第１のリング部材と係合して、前記第１のバヨネット係合部に対する前記第１のリング部材の回転を規制する第１のロック部材と、
前記第２のリング部材と係合して、前記第１のリング部材に対する前記操作リング部材および前記第２のリング部材の回転を規制する第２のロック部材と、を備え、
前記第１のロック部材によって、前記第１のバヨネット係合部に対する前記第１のリング部材の回転が規制されるとき、前記第２のロック部材は、前記第１のリング部材に対する前記操作リング部材および前記第２のリング部材の回転を規制することなく、
前記第１のロック部材によって、前記第１のバヨネット係合部に対する前記第１のリング部材の回転が規制されていないとき、前記第２のロック部材は、前記第１のリング部材に対する前記操作リング部材および前記第２のリング部材の回転を規制することを特徴とする撮像装置。
【請求項１４】
前記第２のリング部材には第１の開口部が周方向に一定の間隔で複数形成され、
前記第２のロック部材は、前記第２のロック部材が前記第１の開口部の少なくとも１つに嵌合することで、前記第１のリング部材に対する前記操作リング部材および前記第２のリング部材の回転を規制することを特徴とする請求項１３記載の撮像装置。
【請求項１５】
前記検出手段は、前記第２のリング部材に対して光線を出射すると共に、前記第２のリング部材で反射される反射光と前記第１の開口部を通過することによって前記第１のリング部材で反射される反射光とをそれぞれ検出する第１のフォトリフレクタおよび第２のフォトリフレクタを備え、
前記第１のリング部材と前記第２のリング部材のそれぞれにおいて前記第１のフォトリフレクタと第２のフォトリフレクタから出射された光線が照射される面では、前記光線に対する反射率が異なり、
前記操作リング部材を回転させたときに、前記第２のリング部材からの反射光と前記第１のリング部材からの反射光を交互に検出する周期が、前記第１のフォトリフレクタと前記第２のフォトリフレクタとでは１／４周期ずれており、
前記第１のフォトリフレクタと前記第２のフォトリフレクタのそれぞれで前記第２のリング部材からの反射光の検出と前記第１のリング部材からの反射光の検出とが切り替わるタイミングのずれに基づいて、前記操作リング部材の回転方向が検出されることを特徴とする請求項１４記載の撮像装置。
【請求項１６】
前記第１のフォトリフレクタと前記第２のフォトリフレクタのそれぞれでの、前記第２のリング部材からの反射光の検出と前記第１のリング部材からの反射光の検出とが切り替わる回数に基づいて、前記操作リング部材の回転量が検出されることを特徴とする請求項１５記載の撮像装置。
【請求項１７】
前記第２のリング部材には前記第１の開口部より小さい幅を有する第２の開口部が周方向に一定の間隔で複数形成され、
前記撮像装置は、さらに、
一部が前記第２のリング部材に形成された前記第２の開口部の１つに沈むように配置される鋼球と、
前記鋼球を前記第２のリング部材に対して付勢するクリックバネと、を備え、
前記第２のリング部材が前記第１のリング部材に対して回転するときに、前記鋼球が前記第２のリング部材の前記第２の開口部の１つに係合した状態と前記第２のリング部材の表面を滑る状態とが切り替わることでクリック感を発生させることを特徴とする請求項１４乃至１６のいずれか１項に記載の撮像装置。
【請求項１８】
前記第１のリング部材は、光学アクセサリの取り付けが可能なアダプタ部を有することを特徴とする請求項１３乃至１７のいずれか１項に記載の撮像装置。
【請求項１９】
前記光学アクセサリは、ワイドコンバータレンズ、テレコンバータレンズ、フィルタのいずれかであることを特徴とする請求項１８記載の撮像装置。
【請求項２０】
第１のバヨネット係合部がレンズ鏡筒の周囲に形成された撮像装置に装着可能なアクセサリであって、
前記第１のバヨネット係合部と係合可能な第２のバヨネット係合部が形成される第１のリング部材と、
前記第１のリング部材に対して回転操作可能な操作リング部材と、
前記操作リング部材が回転操作されるときに、前記操作リング部材と一体となって回転する第２のリング部材と、
前記第２のリング部材と係合して、前記第１のリング部材に対する前記操作リング部材および前記第２のリング部材の回転を規制するロック部材と、を備え、
前記アクセサリが前記撮像装置に装着されていないときに、前記ロック部材は、前記第１のリング部材に対する前記操作リング部材および前記第２のリング部材の回転を規制することを特徴とするアクセサリ。
【請求項２１】
前記第２のリング部材には第１の開口部が周方向に一定の間隔で複数形成され、
前記ロック部材が前記第１の開口部の少なくとも１つに嵌合することで、前記ロック部材は、前記第１のリング部材に対する前記操作リング部材および前記第２のリング部材の回転を規制することを特徴とする請求項２０記載のアクセサリ。
【請求項２２】
前記第２のリング部材には前記第１の開口部より小さい幅を有する第２の開口部が周方向に一定の間隔で複数形成されることを特徴とする請求項２１記載のアクセサリ。
【請求項２３】
前記第１のリング部材は、光学アクセサリの取り付けが可能なアダプタ部を有することを特徴とする請求項２０乃至２２のいずれか１項に記載のアクセサリ。
【請求項２４】
前記光学アクセサリは、ワイドコンバータレンズ、テレコンバータレンズ、フィルタのいずれかであることを特徴とする請求項２３記載のアクセサリ。
【発明の詳細な説明】
【技術分野】
【０００１】
本発明は、撮像装置、及び撮像装置に装着可能なアクセサリに関し、特に、レンズ鏡筒の周囲にアクセサリを装着するための第１のバヨネット係止部が形成される撮像装置に関する。
【背景技術】
【０００２】
レンズ鏡筒の周囲に、ワイドコンバータレンズやテレコンバータレンズ等のアクセサリを取り付けるためのバヨネット係合部を形成した撮像装置が知られている（特許文献１参照）。ワイドコンバータレンズやテレコンバータレンズ等のアクセサリを取り外した際に、バヨネット係合部を覆う化粧リングを装着することも知られている。
【０００３】
また、回転操作可能なリング部材をレンズ鏡筒の周囲に設け、撮影時にリング部材を回転操作して撮影条件を変更することができる撮像装置が知られている（特許文献２参照）。
【先行技術文献】
【特許文献】
【０００４】
【特許文献１】特開２００４−２７２００３号公報
【特許文献２】特開２０１１−００８９７０号公報
【発明の概要】
【発明が解決しようとする課題】
【０００５】
アクセサリを取り付けるためのバヨネット係合部をレンズ鏡筒の周囲に形成し、回転操作可能なリング部材をレンズ鏡筒の周囲に設ける場合には、レンズ鏡筒の周囲に形成したバヨネット係合部の外側にリング部材を設けることが考えられる。
【０００６】
しかし、このような構成では、リング部材の径が大きくなってしまい、撮像装置の小型化を妨げるという問題がある。
【０００７】
本発明は、撮像装置を大型化することなく、アクセサリを取り付けるためのバヨネット係合部を、レンズ鏡筒の周囲に形成するとともに、回転操作部材をレンズ鏡筒の周囲に設けることができる撮像装置を提供することを目的とする。
【課題を解決するための手段】
【０００８】
本発明に係る撮像装置は、レンズ鏡筒の周囲に形成される第１のバヨネット係合部と、前記第１のバヨネット係合部と係合可能な第２のバヨネット係合部が形成される第１のリング部材と、前記第１のリング部材に対して回転操作可能な操作リング部材と、前記操作リング部材が回転操作されるときに、前記操作リング部材と一体となって回転する第２のリング部材と、前記第２のリング部材の回転を検出する検出手段と、前記第１のバヨネット係合部と前記第２のバヨネット係合部とが互いに係合するときに、前記第１のリング部材と係合して、前記第１のリング部材が前記第１のバヨネット係合部に対して回転することを規制する第１のロック部材と、前記第１のロック部材と前記第１のリング部材との係合が解除されるときに、前記第２のリング部材と係合して、前記操作リング部材および前記第２のリング部材が前記第１のリング部材に対して回転することを規制する第２のロック部材と、を備えることを特徴とする。
【発明の効果】
【０００９】
本発明によれば、撮像装置を大型化することなく、アクセサリを取り付けるためのバヨネット係合部を、レンズ鏡筒の周囲に形成するとともに、回転操作部材をレンズ鏡筒の周囲に設けることができる。
【図面の簡単な説明】
【００１０】
【図１】本実施形態に係る電子スチルカメラの正面斜視図（ａ）及び背面斜視図（ｂ）である。
【図２】図１の電子スチルカメラのカメラ筐体に装着された操作リングと操作部材との位置関係を示す正面図である。
【図３】図１の電子スチルカメラのカメラ筐体に配設されたマウントベースの構成を示す正面視分解斜視図（ａ）及び背面視分解斜視図（ｂ）である。
【図４】図３のマウントベースの構成を示す正面図（ａ）及び側面断面図である。
【図５】図１の電子スチルカメラのカメラ筐体に装着される操作リングの構成を示す正面視分解斜視図（ａ）及び背面視分解斜視図（ｂ）である。
【図６】図５の操作リングの構成を示す背面図（ａ）及び側面断面図である。
【図７】図５の操作リングを図３のマウントベースに装着した状態を示す正面図（ａ）及び側面図（ｂ）である。
【図８】図５の操作リングと図３のマウントベースとのバヨネット係合前の正面断面図（ａ）及びバヨネット係合後の正面断面図（ｂ）である。
【図９】図５の操作リングと図３のマウントベースのバヨネット係合過程での、係合前の状態（ａ）、係合途中の状態（ｂ）、係合後のロック状態（ｃ）及び係合後にロックを解除した状態（ｄ）をそれぞれ示す側面断面図である。
【図１０】図５の操作リングを構成する第２のリング部材の背面拡大図である。
【図１１】図１０の第２のリング部材と、第２のリング部材の回転方向及び回転量を検出するフォトリフレクタとの位置関係を示す側面図である。
【図１２】図１１のフォトリフレクタの出力タイミングチャートである。
【図１３】図３のマウントベースにバヨネット係合されるリングアダプタの上側の背面視分解斜視図（ａ）及び下側の背面視分解斜視図（ｂ）である。
【図１４】図１３のリングアダプタがマウントベースに装着された状態を示す正面図（ａ）及び側面断面図（ｂ）である。
【図１５】図１３のリングアダプタにテレコンバータを装着した状態を示す側面断面図である。
【図１６】図３のマウントベースにバヨネット係合されるレンズアダプタの正面図（ａ）及び背面斜視図（ｂ）である。
【図１７】図１６のレンズアダプタがマウントベース３に装着された状態を示す正面図（ａ）及び側面断面図（ｂ）である。
【発明を実施するための形態】
【００１１】
以下、本発明の実施形態について、添付図面を参照して詳細に説明する。ここでは、撮像装置の一例として、電子スチルカメラを取り上げるが、本実施形態はこれに限定されるものではない。
【００１２】
《第１実施形態》
＜電子スチルカメラの概略構成＞
図１は、本実施形態に係る電子スチルカメラの正面斜視図（ａ）及び背面斜視図（ｂ）である。電子スチルカメラ１０１は、前カバー２０１、レンズ鏡筒１０２及びファインダ１０３を備えている。前カバー２０１は、電子スチルカメラ１０１の本体であるカメラ筐体の外装としてカメラ筐体の前面に配置されている。レンズ鏡筒１０２は、電子スチルカメラ１０１の撮影光学系を構成しており、撮影者がファインダ１０３を通して被写体像を観察することができるように、ファインダ１０３の光学系はレンズ鏡筒１０２の撮影光学系と連携している。
【００１３】
また、電子スチルカメラ１０１は、ストロボ１０４、電源ボタン１０５、レリーズボタン１０６、ズームレバー１０７、モードダイヤル１０８、液晶表示パネル１０９及び操作ダイヤル１１０を備えている。ストロボ１０４は被写体に対して光を照射し、電源ボタン１０５は、電子スチルカメラ１０１の起動／停止を切り替える。レリーズボタン１０６を押下することで撮影が行われ、ズームレバー１０７でレンズ鏡筒１０２を動作させることで、撮影画像の画角を調整することができる。モードダイヤル１０８を操作することによって撮影モード等を変更することができ、液晶表示パネル１０９には撮影画像や撮影条件等の各種の情報が表示される。操作ダイヤル１１０は、時計回り／反時計回りに回転可能であり、上下左右の４箇所と中央の１箇所で押し込み操作が可能となっている。
【００１４】
更に、電子スチルカメラ１０１は、操作リング３００と、操作リング３００とカメラ筐体とのバヨネット係合をロック／解除するための操作部材２０２とを備えている。なお、後述する通り、操作リング３００を構成する第１のリング部材３０２（図１に不図示、図５参照）とカメラ筐体に取り付けられたマウントベース２０３とがバヨネット係合する。
【００１５】
操作リング３００は、後述する通り、大略的に、操作リング部材３０１と、第１のリング部材３０２と、第２のリング部材３０５（図５参照）とで構成されており、操作リング部材３０１と第２のリング部材３０５とが第１のリング部材３０２を挟持している。撮影者は、操作リング３００がカメラ筐体に装着されている状態で操作リング部材３０１を回転操作することにより、撮影条件の変更等を行うことができるようになっている。操作リング部材３０１が回転操作部材に対応し、第１のリング部材３０２が第１の部材に対応し、第２のリング部材３０５が第２の部材に対応している。
【００１６】
＜電子スチルカメラの動作の概要＞
電源ボタン１０５を押下して電子スチルカメラ１０１を起動すると、レンズ鏡筒１０２がワイド位置へ繰り出される。モードダイヤル１０８を操作して、例えばＴｖ：シャッタスピード優先ＡＥモードに合わせる。このとき、シャッタスピードの設定値が１／６０であったとする。
【００１７】
操作リング部材３０１を背面側（撮影者側）から見て時計回りに１クリックだけ回転させると、シャッタスピードは現在設定されている値の隣の値、例えば１／５０に設定される。逆に、操作リング部材３０１を反時計回りに１クリックだけ回転させると、逆側の隣の値、例えば１／８０に設定される。このように、操作リング部材３０１の回転量に応じて設定値が変更され、例えば、操作リング部材３０１を時計回りに３クリック回転させると、シャッタスピードは、１／６０から１／５０、１／４０、１／３０と遷移して、１／３０に設定される。なお、設定値は、撮影時のスルー画像及び液晶表示パネル１０９上での表示により確認することができる。操作リング３００に対して設けられているクリック機構、操作リング部材３０１の回転方向及び回転量の検出機構については、後述する。
【００１８】
操作リング部材３０１の操作によって設定可能なパラメータは、シャッタスピード、ＩＳＯ感度、露出値、絞り値、ホワイトバランス、レンズ鏡筒１０２のズームポジション、マニュアルフォーカスモード時のピント位置等、任意である。上記説明では、シャッタスピード優先ＡＥモード時に操作リング部材３０１を操作することでシャッタスピードを変更するとしたが、撮影モードが他のモードのときには、設定可能なパラメータが変わるだけで、概ね同様に操作することができる。例えば、撮影モードがマニュアルモードに設定されているときに、操作リング部材３０１でシャッタスピードを変更し、操作ダイヤル１１０で絞り値を変更するという操作が可能である。また、撮影画像を再生する再生モードでは、画像の送りや拡大／縮小等を操作リング部材３０１による操作で行うようにすることもできる。
【００１９】
＜操作リングとカメラ筐体とのバヨネット係合の詳細＞
図２は、カメラ筐体に装着された操作リング３００と操作部材２０２との位置関係を示す正面図である。本実施形態では、電子スチルカメラ１０１の前面に向かって、操作部材２０２を操作リング３００の右下に設けているが、以下の説明において参照する図面においては、適宜、操作部材２０２と操作リング部材３０１とを矢印Ｇ方向に回転させた状態で示す。すなわち、適宜、図面において、操作部材２０２を鉛直方向上側に描画する。
【００２０】
〔カメラ筐体に配設されるマウントベースの構造〕
マウントベースは、カメラ筐体に配設され、操作リング３００を構成する第１のリング部材３０２がバヨネット係合する対象となる部材である。図３は、マウントベースの構成を示す正面視分解斜視図（ａ）及び背面視分解斜視図（ｂ）であり、図４は、マウントベースの構成を示す正面図（ａ）及び側面断面図（矢視ＡＡ断面図）である。
【００２１】
マウントベース２０３には、操作リング３００（の第１のリング部材３０２）とバヨネット係合するための３箇所のメス爪溝部２０３ａと３箇所の開口溝部２０３ｋとが形成されている。３箇所のメス爪溝部２０３ａ及び３箇所の開口溝部２０３ｋは、レンズ鏡筒１０２の周囲に位置するようにマウントベース２０３は配置される。したがって、３箇所のメス爪溝部２０３ａと３箇所の開口溝部２０３ｋとが、レンズ鏡筒の周囲にアクセサリを装着するための第１のバヨネット係合部として機能する。操作部材２０２に形成されているボス２０２ａは、マウントベース２０３に形成されている穴部２０３ｂに摺動可能に嵌合される。また、操作部材２０２に形成されているボス２０２ｂは、マウントベース２０３に形成されている穴部２０３ｄに摺動可能に嵌合され、係止される。更に、操作部材２０２に形成されている爪部２０２ｃがマウントベース２０３に形成されている穴部２０３ｃに挿入され、これらにパッチン等の係止構造を用いることにより、操作部材２０２はマウントベース２０３に保持される。
【００２２】
ロック部材２０４は、マウントベース２０３に形成されている開口部２０３ｊに摺動可能に嵌合されて係止され、光軸方向において進退自在である。マウントベース２０３に形成されているボス２０３ｅは、ロック部材２０４に形成されている穴部２０４ａに摺動可能に嵌合される。マウントベース２０３に形成されているボス２０３ｆは、ホルダ部材２０６に形成されている穴部２０６ａに嵌合される。マウントベース２０３に形成されている穴部２０３ｇとホルダ部材２０６に形成されている穴部２０６ｂとは、不図示のビス締め等の手段で固定される。マウントベース２０３のボス２０３ｅには、ロック部材２０４とホルダ部材２０６との間において、ロック部材２０４を矢印Ｂ方向（図４（ｂ）参照）に付勢するロックバネ２０５が配置されている。
【００２３】
ロック部材２０４は、操作リング３００を構成する第１のリング部材３０２に対する係合面２０４ｃを有している。ロック部材２０４の機能の詳細については、操作リング３００のマウントベース２０３に対する着脱方法について説明する際に併せて説明する。
【００２４】
操作リング部材３０１の回転方向と回転量を検出する検出手段１０は、フレキシブルプリント基板２０７上に半田付け等の手段で実装されたフォトリフレクタ２０８ａ，２０８ｂ（第１のフォトリフレクタ，第２のフォトリフレクタ）を有している。フォトリフレクタ２０８ａ，２０８ｂは、マウントベース２０３に形成されている穴部２０３ｈを通して、マウントベース２０３の正面側に露出している。
【００２５】
フレキシブルプリント基板２０７に形成されている穴部２０７ｃにマウントベース２０３に形成されているボス２０３ｉが嵌合されると共に、フレキシブルプリント基板２０７は、両面テープ等の接着手段によりマウントベース２０３に固定される。なお、不図示であるが、フレキシブルプリント基板２０７のコンタクト部は、電子スチルカメラ１０１の画像処理／システム処理の半導体素子等を実装しているメイン基板にコネクターによって接続され、電気的導通がなされる。
【００２６】
〔操作リングの構造〕
図５は、操作リング３００の構成を示す正面視分解斜視図（ａ）及び背面視分解斜視図（ｂ）であり、図６は，操作リング３００の構成を示す背面図（ａ）及び側面断面図（矢視ＣＣ断面図）である。操作リング３００は、撮影者がマニュアル操作可能な操作リング部材３０１と、マウントベース２０３とバヨネット係合される第１のリング部材３０２と、操作リング部材３０１と共に回転する第２のリング部材３０５とで構成されている。
【００２７】
第１のリング部材３０２は、マウントベース２０３とバヨネット係合するために３箇所に形成されたオス爪３０２ａを有している。オス爪３０２ａが第１のバヨネット係止部に係脱自在な第２のバヨネット係合部として機能する。操作リング部材３０１の回転を規制する規制手段２０は、回転ロック部材３０３と回転ロックバネ３０４とで構成されている。回転ロック部材３０３は、第１のリング部材３０２に形成されている凹部３０２ｂに摺動可能に嵌合されて係止される。また、回転ロックバネ３０４は、第１のリング部材３０２に形成されているリブ３０２ｈと回転ロック部材３０３に形成されている壁３０３ｃとの間に配置され、回転ロック部材３０３を矢印Ｄ方向（図６（ｂ））に付勢する。
【００２８】
第１のリング部材３０２に形成されているリブ３０２ｅは、操作リング部材３０１に形成されている溝部３０１ｂに摺動可能に嵌合されて係止される。操作リング部材３０１を回転させたときに撮影者に対してクリック感を与えるクリック手段３０は、クリックバネ３０７と鋼球３０６とで構成されている。クリックバネ３０７と鋼球３０６は、第１のリング部材３０２に形成されている穴部３０２ｄに配設されている。
【００２９】
操作リング部材３０１に形成されている３箇所の爪部３０１ａと第２のリング部材３０５に形成される３箇所の穴部３０５ａとがそれぞれ係合することにより、第１のリング部材３０２の光軸方向での抜け止めがなされる。こうして、操作リング部材３０１は第２のリング部材３０５と一体となって、第１のリング部材３０２に回転可能に保持される。
【００３０】
鋼球３０６は、その中心が第２のリング部材３０５において光軸方向と直交する面に形成されている開口部３０５ｘの略中央となる位置において、その一部が開口部３０５ｘに沈むように配置される。開口部３０５ｘは第２のリング部材３０５の周方向に一定の間隔で複数形成されている。鋼球３０６は、クリックバネ３０７の付勢力により第２のリング部材３０５側に付勢されている。回転ロック部材３０３に形成されているリブ３０３ａは、操作リング３００がカメラ筐体に装着されていないときには、回転ロックバネ３０４によって第２のリング部材３０５側に付勢され、第２のリング部材３０５の開口部３０５ｙに嵌合され、係止される。これにより、操作リング部材３０１と第２のリング部材３０５とが第１のリング部材３０２に対して回転規制された状態となる。開口部３０５ｙは第２のリング部材３０５の周方向に一定の間隔で複数形成されている。開口部３０５ｙが第１の開口部に対応し、開口部３０５ｘが第２の開口部に対応する。開口部３０５ｘは開口部３０５ｙより小さい幅を有する。
【００３１】
第１のリング部材３０２に形成されている受け面３０２ｆには、後述するように、ロック部材２０４の係合面２０４ｃが当接する。第２のリング部材３０５において開口部３０５ｙが形成されている面は、後述するように第１のリング部材３０２においてフォトリフレクタ２０８ａ，２０８ｂから出射される光線が照射される面３０２ｇと対向する。
【００３２】
本実施形態では、操作リング部材３０１と第２のリング部材３０５とが３箇所において１２０度間隔で係合する構成としたが、係合形態はこれに限られるものではない。例えば、カメラ筐体の大きさが許せば、操作リング部材３０１を第２のリング部材３０５にビス締めにて固定する等してもよい。
【００３３】
〔マウントベースと操作リングとのバヨネット係合〕
図７は、操作リング３００をマウントベース２０３に装着した状態を示す正面図（ａ）及び側面図（ｂ）であり、図８は、操作リング３００とマウントベース２０３とのバヨネット係合前の正面断面図（ａ）及びバヨネット係合後の正面断面図（ｂ）である。
【００３４】
操作リング３００がマウントベース２０３に装着されていない状態では、操作リング部材３０１及び第２のリング部材３０５は、第１のリング部材３０２に対して回転規制されている。よって、撮影者等は、先ず、操作リング部材３０１を把持して、第１のリング部材３０２に形成されている３箇所のオス爪３０２ａをマウントベース２０３に形成されている３箇所の開口溝部２０３ｋに合わせる。撮影者等は、次に、操作リング３００を光軸方向のマウントベース２０３側（非被写体側）へ押し込んで、操作リング部材３０１を時計方向の突き当たりまで回転させる回転動作を行う。これにより、第１のリング部材３０２の３箇所のオス爪３０２ａがマウントベース２０３の３箇所のメス爪溝部２０３ａに対してそれぞれ係合する。
【００３５】
図９は、操作リング３００とマウントベース２０３のバヨネット係合過程での状態を示す側面断面図であり、（ａ）は係合前の状態を、（ｂ）は係合途中の状態を、（ｃ）は係合後のロック状態を、（ｄ）は係合後にロックを解除した状態をそれぞれ示している。
【００３６】
図９（ａ）に示すように、回転規制されている第１のリング部材３０２の３箇所のオス爪３０２ａとマウントベース２０３の３箇所の開口溝部２０３ｋとが合わせられて、操作リング３００が光軸方向のマウントベース２０３側（非被写体側）へ押し込まれる。すると、第１のリング部材３０２の受け面３０２ｆによってロック部材２０４の係合面２０４ｃがロックバネ２０５の付勢力に逆らって、矢印Ｊ方向に押圧される。これと同時に、ロック部材２０４の受け面２０４ｂが矢印Ｊ方向に動き、操作部材２０２上のボス２０２ｂへのロックバネ２０５の付勢力が無くなり、操作部材２０２はフリーとなって、自重により矢印Ｊ方向に動く。
【００３７】
図９（ｂ）に示すように、第１のリング部材３０２の受け面３０２ｆにロック部材２０４の係合面２０４ｃが矢印Ｊ方向に押圧されている状態のまま、操作リング部材３０１を時計方向に突き当たりまで回転させる。すると、第１のリング部材３０２の３箇所のオス爪３０２ａがマウントベース２０３の３箇所のメス爪溝部２０３ａにそれぞれ係合する。この係合のタイミングと同時に、第１のリング部材３０２の受け面３０２ｆに押圧されているロック部材２０４の係合面２０４ｃが、ロックバネ２０５の付勢力によって矢印Ｋ方向に動いて、第１のリング部材３０２の溝部３０２ｃに係合する。
【００３８】
これにより、図９（ｃ）に示すように、マウントベース２０３に対して第１のリング部材３０２が回転規制された状態で保持される。これと同時に、ロック部材２０４の受け面２０４ｂが矢印Ｋ方向に動き、操作部材２０２上のボス２０２ｂと当接することで操作部材２０２が矢印Ｋ方向に動く。このとき、ロック部材２０４の係合面２０４ｃが、回転ロック部材３０３の受け面３０３ｂを回転ロックバネ３０４の付勢力に逆らって動かす。これにより、回転ロック部材３０３のリブ３０３ａが第２のリング部材３０５の開口部３０５ｙから外れ、操作リング部材３０１と第２のリング部材３０５とが一体的に回転可能となる。そして、第１のリング部材３０２の穴部３０２ｄに配設されるクリックバネ３０７と鋼球３０６によって、回転時のクリック感が得られるようになる。
【００３９】
図９（ｄ）に示すように、操作リング３００をマウントベース２０３から取り外す場合、撮影者等は、操作部材２０２をロックバネ２０５の付勢力に逆らって矢印Ｌ方向に押圧する。すると、操作部材２０２のボス２０２ｂがロック部材２０４の受け面２０４ｂを矢印Ｌ方向に動かし、ロック部材２０４の係合面２０４ｃが第１のリング部材３０２の溝部３０２ｃから外れる。このとき、回転ロックバネ３０４の付勢力によって回転ロック部材３０３のリブ３０３ａが第２のリング部材３０５の開口部３０５ｙに係合し、操作リング部材３０１と第２のリング部材３０５に回転規制がかかる。すなわち、操作部材２０２が操作されることに連動して、回転ロック部材３０３は操作リング３００と第２のリング部材３０５とが第１のリング部材３０２に対して回転しないようにロックする。
【００４０】
そこで、撮影者等が操作リング部材３０１を半時計方向の突き当たりまで回転させると、第１のリング部材３０２に形成されている３箇所のオス爪３０２ａがマウントベース２０３に形成されている３箇所の開口溝部２０３ｋに移動する。よって、操作リング部材３０１を光軸方向の被写体側へ引き上げることで、操作リング３００がマウントベース２０３から取り外される。
【００４１】
＜クリック機構＞
図１０を参照して、操作リング部材３０１を回転操作したときのクリックの仕組みについて説明する。図１０は、第２のリング部材３０５の背面拡大図である。第２のリング部材３０５には、光軸方向と直交する面に、複数の凸型の開口部（開口部３０５ｘ，開口部３０５ｙ）が周方向に一定の間隔で形成されており、本実施形態では、１０度間隔で計３６個形成されている。本実施形態では、凸型の開口部のうち、開口部幅の狭い方の開口部３０５ｘをクリックに利用し、開口部幅が広い方の開口部３０５ｙを回転方向及び回転量の検出に利用する。クリック及び回転検出のための開口部を光軸方向と直交する面に形成することにより、操作リング３００の薄型化が可能であり、操作リング機能を追加しても電子スチルカメラ１０１の大型化を回避することができる。
【００４２】
なお、本実施形態においては、１０度間隔、計３６個で凸型の開口部を設けたが、これに限られることなく、凸型の開口部は、操作リング部材３０１及び第２のリング部材３０５のサイズや所望する操作感に合わせて、好適な間隔、個数に設定することができる。
【００４３】
鋼球３０６は、その中心が第２のリング部材３０５の開口部３０５ｘの略中央となる位置において、クリックバネ３０７によって第２のリング部材３０５側に付勢されて、配置されている。操作リング部材３０１が回転操作されると、第２のリング部材３０５も一体的に回転するので、鋼球３０６が第２のリング部材３０５の開口部３０５ｘに係合する状態と第２のリング部材３０５の表面を滑る状態とが切り替わることで、クリックが発生する。第２のリング部材３０５の開口部３０５ｘの幅Ｘａを鋼球３０６の直径に合わせて調整することや、クリックバネ３０７の付勢力を調整することにより、所望のクリック力（クリック感）を得ることができる。
【００４４】
＜操作リング部材の回転方向と回転量の検出機構＞
操作リング部材３０１を回転操作したときの回転方向及び回転量の検出の仕組みについて図１０〜１２を参照して説明する。図１１は、第２のリング部材３０５とフォトリフレクタ２０８ａ，２０８ｂとの位置関係を示す側面図であり、図１２は、フォトリフレクタ２０８ａ，２０８ｂの出力タイミングチャートである。
【００４５】
クリック停止時に、第２のリング部材３０５の開口部３０５ｙの中心線上で開口部幅（５度）の１／４（１．２５度）の位置にフォトリフレクタ２０８ａ，２０８ｂの光線反射位置がくるように、フォトリフレクタ２０８ａ，２０８ｂを配置する（図１０参照）。こうしてフォトリフレクタ２０８ａ，２０８ｂの一方の出力信号（反射光検出信号）が他方の出力信号に対して１／４周期だけずらすことにより、第２のリング部材３０５と一緒に回転する操作リング部材３０１の回転方向を検出することができる。
【００４６】
すなわち、フォトリフレクタ２０８ａ，２０８ｂの光線反射位置は、図１１に示すように、フォトリフレクタ２０８ａ，２０８ｂから出射された光線が第２のリング部材３０５に照射される位置である。クリック停止時（第２のリング部材３０５の停止時）には、フォトリフレクタ２０８ａ，２０８ｂの双方の光線が第２のリング部材３０５には当たらず、開口部３０５ｙを通過して、第１のリング部材３０２の面３０２ｇに照射される。ここで、第１のリング部材３０２の面３０２ｇは、光を反射し難い材料（例えば、黒色樹脂等）で構成されている。よって、フォトリフレクタ２０８ａ，２０８ｂの双方の光線は面３０２ｇで反射されず、その結果、フォトリフレクタ２０８ａ，２０８ｂからの出力信号が“Ｌｏｗ”になる。
【００４７】
第２のリング部材３０５（操作リング部材３０１）を時計回り或いは反時計回りに回転させると、フォトリフレクタ２０８ａ，２０８ｂから出射された光線が第２のリング部材３０５に照射される。ここで、第２のリング部材３０５を光反射率の大きい材料（例えば、金属等）で構成しておく。これにより、フォトリフレクタ２０８ａ，２０８ｂから出射された光線は、第２のリング部材３０５で大きく反射して、フォトリフレクタ２０８ａ，２０８ｂの受光部に戻り、フォトリフレクタ２０８ａ，２０８ｂからの出力信号は“Ｈｉｇｈ”となる。
【００４８】
図１２の“Ｌ”は出力信号が“Ｌｏｗ”であることを、“Ｈ”は出力信号が“Ｈｉｇｈ”であることを表している。クリック停止時におけるフォトリフレクタ２０８ａ，２０８ｂの出力信号は共に“Ｌｏｗ”であり、これは、クリック停止時の出力信号を安定させるためである。そして、クリック動作時には、各クリックポジション位置では２つのフォトリフレクタ２０８ａ，２０８ｂの出力信号が共に“Ｈｉｇｈ”になるようにしている。
【００４９】
第２のリング部材３０５が、図１０に示される反時計回りに回転すると、フォトリフレクタ２０８ｂの出力信号が“Ｈｉｇｈ”となったときにフォトリフレクタ２０８ａの出力信号は“Ｌｏｗ”のままである。逆に言えば、フォトリフレクタ２０８ａの出力信号が“Ｌｏｗ”のままでフォトリフレクタ２０８ｂの出力信号が“Ｈｉｇｈ”となったときには、第２のリング部材３０５の反時計回りの回転が検出される。同様に、フォトリフレクタ２０８ｂの出力信号が“Ｌｏｗ”のままで先にフォトリフレクタ２０８ａの出力信号が“Ｈｉｇｈ”となったときには、第２のリング部材３０５の時計回りの回転が検出される。第２のリング部材３０５の回転量は、フォトリフレクタ２０８ａ，２０８ｂの出力信号が“Ｈｉｇｈ”になった回数（必ず同じ回数になる）により検出することができる。
【００５０】
〔クリック機構と操作リング部材の回転方向／回転量検出の変形例〕
本実施形態では、フレキシブルプリント基板２０７を小型化する観点から、隣り合う開口部３０５ｙの位置に合わせてフォトリフレクタ２０８ａ，２０８ｂを配置している。しかし、フォトリフレクタ２０８ａ，２０８ｂの“Ｌｏｗ”と“Ｈｉｇｈ”の切り替わり（検出タイミング）が１／４周期だけずれていることが必要であって、必ずしも隣り合う開口部３０５ｙの位置に合わせてフォトリフレクタ２０８ａ，２０８ｂを配置する必要はない。
【００５１】
また、本実施形態では、第２のリング部材３０５に光反射率の大きい金属を用い、第１のリング部材３０２に光反射率の小さい樹脂（黒色樹脂等）を用いたが、この構成を逆転させてもよい。すなわち、第２のリング部材３０５を光反射率の小さい樹脂で構成し、第１のリング部材３０２を金属（ダイキャスト等）で構成してもよい。この場合、図１２の“Ｌｏｗ”と“Ｈｉｇｈ”とが入れ替わるため、クリック停止時におけるフォトリフレクタ２０８ａ，２０８ｂの“Ｈｉｇｈ”の信号のどちらが先に“Ｌｏｗ”に変わるかで、第２のリング部材３０５の回転方向を検出することができる。
【００５２】
更に、本実施形態では、クリック機構と回転検出機構とで異なる開口部を用いた構成、すなわち、クリック機構に幅の狭い開口部３０５ｘを用い、回転検出機構に幅の広い開口部３０５ｙをそれぞれ用いた構成を採用しているが、これに限られるものではない。例えば、第２のリング部材３０５をより短径とするために、開口部幅を小さくした共通の開口部を用いてクリックと回転検出とを行う構成としてもよい。また、操作リング部材３０１の回転方向及び回転量の検出に、フォトリフレクタ２０８ａ，２０８ｂを用いているが、これに代えて、フォトインタラプタを使用することもできる。
【００５３】
上述の通り、第１実施形態に係る電子スチルカメラによれば、撮影者は、カメラ筐体にバヨネット係合により着脱自在に取り付けられた操作リング３００のマニュアル操作により、所望する撮影条件を設定し、撮影を行うことができる。
【００５４】
《第２実施形態》
第２実施形態では、操作リング３００に代えてアクセサリとしてのリングアダプタをカメラ筐体に着脱自在とした構成について説明する。リングアダプタは、第１実施形態で説明した第１のリング部材３０２と同様に、マウントベース２０３にバヨネット係合される。また、リングアダプタは、第１のリング部材３０２にアダプタ部（リングアダプタ部材）が設けられた構造を有しており、このアダプタ部には後述する光学アクセサリ（例えば、ワイドコンバータレンズ、テレコンバータレンズ、ＰＬフィルタ）が装着可能である。電子スチルカメラ１０１のその他の構成は第１実施形態と同じであるので、ここでの説明を省略する。
【００５５】
＜リングアダプタの構成＞
図１３は、リングアダプタの上側の背面視分解斜視図（ａ）及び下側の背面視分解斜視図（ｂ）ある。リングアダプタ４００は、大略的に、リングアダプタ部材４０１と、アダプタ操作リング４０２と、第２のリング部材３０５（第１実施形態の操作リング３００を構成する第２のリング部材３０５と同じため、ここでも同じ名称と符号を用いる）とで構成されている。なお、リングアダプタ４００において、第１実施形態の操作リング３００と同じ構成部分については、同じ符号を用いて下記における説明を省略する。
【００５６】
リングアダプタ部材４０１は、マウントベース２０３とバヨネット係合するために３箇所に形成されたオス爪４０１ａを有している。回転ロック部材３０３は、リングアダプタ部材４０１に形成されている凹部４０１ｂに摺動可能に嵌合されて係止される。リングアダプタ部材４０１のリブ４０１ｉと回転ロック部材３０３の壁３０３ｃ（詳細は図５（ａ）参照）との間に回転ロックバネ３０４が配設される。
【００５７】
リングアダプタ部材４０１に形成されているボス４０１ｅは、アダプタ操作リング４０２に形成されている開口溝部４０２ｃを通り、アダプタ操作リング４０２に形成されている溝部４０２ｂに至る。また、リングアダプタ部材４０１に形成されている爪溝部４０１ｈとアダプタ操作リング４０２に形成されている爪４０２ｄとが係合することにより、アダプタ操作リング４０２の光軸方向での抜け止めがなされる。更に、リングアダプタ部材４０１に形成されているボス４０１ｅが、アダプタ操作リング４０２に形成されている溝部４０２ｂに対して回転摺動可能に嵌合する。
【００５８】
リングアダプタ部材４０１の面４０１ｇに形成されている穴部４０１ｄにクリックバネ３０７と鋼球３０６とが配設され、アダプタ操作リング４０２に形成されている３箇所の爪４０２ａと第２のリング部材３０５に形成される３箇所の穴部３０５ａとが係合する。こうして、アダプタ操作リング４０２は、第２のリング部材３０５と一体となって、リングアダプタ部材４０１に対して回転可能に保持される。
【００５９】
鋼球３０６は、その中心が第２のリング部材３０５に形成されている開口部３０５ｘの略中央となる位置に配設され、クリックバネ３０７によって第２のリング部材３０５側に付勢されている。回転ロック部材３０３に形成されているリブ３０３ａは、回転ロックバネ３０４によって第２のリング部材３０５側に付勢され、第２のリング部材３０５に形成されている開口部３０５ｙに摺動可能に嵌合される。これにより、アダプタ操作リング４０２と第２のリング部材３０５とが、リングアダプタ部材４０１対して回転規制された状態となる。
【００６０】
＜リングアダプタとマウントベースとのバヨネット係合＞
図１４は、リングアダプタ４００がマウントベース２０３に装着された状態を示す正面図（ａ）及び側面断面図（矢視ＨＨ断面図）（ｂ）であり、バヨネット係合後のロック状態を示している。ここでは、第１実施形態で説明した操作リング３００とマウントベース２０３とのバヨネット係合と同様の動作については、適宜、説明を割愛することとする。
【００６１】
リングアダプタ部材４０１に形成されている３箇所のオス爪４０１ａはマウントベース２０３に形成されている３箇所のメス爪溝部２０３ａに係合される。ロック部材２０４の係合面２０４ｃが、ロックバネ２０５の付勢力により矢印Ｋ方向に動いてリングアダプタ部材４０１の溝部４０１ｃに係合することにより、リングアダプタ部材４０１はマウントベース２０３に対して回転規制された状態で保持される。
【００６２】
これと同時に、ロック部材２０４の受け面２０４ｂが、矢印Ｋ方向に動いて操作部材２０２のボス２０２ｂと当接されることで、操作部材２０２が矢印Ｋ方向に動く。このとき、ロック部材２０４の係合面２０４ｃが回転ロック部材３０３の受け面３０３ｂを回転ロックバネ３０４の付勢力に逆らって動かす。これにより、回転ロック部材３０３のリブ３０３ａが第２のリング部材３０５の開口部３０５ｙから外れて、アダプタ操作リング４０２と第２のリング部材３０５とが一体的に回転可能となる。こうして、リングアダプタ部材４０１に形成されている穴部３０２ｄに配設されるクリックバネ３０７と鋼球３０６によって、アダプタ操作リング４０２を回転させたときにクリック力が発生する。
【００６３】
＜リングアダプタへの光学アクセサリの装着＞
図１５は、リングアダプタ４００に光学アクセサリの１つであるテレコンバータを装着した状態を示す側面断面図である。テレコンバータ６００は、テレコンバージョンレンズ６０１とコンバージョンレンズアダプタ６０２とで構成されている。テレコンバージョンレンズ６０１に形成されているオスネジ部６０１ａとコンバージョンレンズアダプタ６０２に形成されているメスネジ部６０２ａとがネジ締結によって固定される。また、コンバージョンレンズアダプタ６０２に形成されているオスネジ部６０２ｂとリングアダプタ部材４０１に形成されているメスネジ部４０１ｊとがネジ締結によって固定される。
【００６４】
このように、本実施形態では、操作リング機能を有するリングアダプタ４００を用いながら、撮影状況に応じて所望する光学アクセサリ（例えばワイドコンバージョンレンズ、ＰＬフィルタ）を装着するというシステム展開が可能である。
【００６５】
《第３実施形態》
第３実施形態では、操作リング３００に代えてレンズアダプタをカメラ筐体に着脱自在とした構成について説明する。図１６は、レンズアダプタの正面図（ａ）及び背面斜視図（ｂ）であり、図１７は、レンズアダプタがマウントベース２０３に装着された状態を示す正面図（ａ）及び側面断面図（矢視ＩＩ断面図）（ｂ）であり、バヨネット係合後のロック状態を示している。ここでも、第１実施形態で説明した操作リング３００とマウントベース２０３とのバヨネット係合と同様の動作については、適宜、説明を割愛することとする。
【００６６】
レンズアダプタ５０１に形成されている３箇所のオス爪５０１ａはマウントベース２０３に形成されている３箇所のメス爪溝部２０３ａに係合される。ロック部材２０４の係合面２０４ｃは、ロックバネ２０５の付勢力によって矢印Ｋ方向に動き、レンズアダプタ５０１に形成されている溝部５０１ｂと係合する。これにより、レンズアダプタ５０１は、マウントベース２０３に対して回転規制された状態で保持される。また、レンズアダプタ５０１には、メスネジ部５０１ｃが配設されている。
【００６７】
第３実施形態に係る電子スチルカメラによれば、図１５を参照して説明したテレコンバージョンレンズ６０１やコンバージョンレンズアダプタ６０２等の所望の光学アクセサリを撮影状況に応じて装着し、撮影を行うことができる。
【００６８】
《その他の実施形態》
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６９】
例えば、本発明では、従来の操作リング機能がないレンズアダプタを使用することも可能である。また、本発明は、１眼レフカメラやレンズシャッタカメラ、ビデオカメラ、デジタルカメラ等種々のカメラに対して適用することができる。更に、本発明は、カメラ以外の光学機器やその他の装置、更にはこれらのカメラや光学機器、その他の装置に適用される装置又はこれらを構成する要素に対して適用することができる。
【符号の説明】
【００７０】
２０３    マウントベース
２０４    ロック部材
２０８，２０９    フォトリフレクタ
３００    操作リング
３０１    操作リング部材
３０２    第１のリング部材
３０３    回転ロック部材
３０４    回転ロックバネ
３０５    第２のリング部材
３０６    鋼球
３０７    クリックバネ
４０１    リングアダプタ部材
５０１    レンズアダプタ
６０１    テレコンバージョンレンズ
６０２    コンバージョンレンズアダプタ
【図１】
0005896662.tif 000002
【図２】
0005896662.tif 000003
【図３】
0005896662.tif 000004
【図４】
0005896662.tif 000005
【図５】
0005896662.tif 000006
【図６】
0005896662.tif 000007
【図７】
0005896662.tif 000008
【図８】
0005896662.tif 000009
【図９】
0005896662.tif 000010
【図１０】
0005896662.tif 000011
【図１１】
0005896662.tif 000012
【図１２】
0005896662.tif 000013
【図１３】
0005896662.tif 000014
【図１４】
0005896662.tif 000015
【図１５】
0005896662.tif 000016
【図１６】
0005896662.tif 000017
【図１７】
0005896662.tif 000018